(57)【要約】【課題】  コピー及びペーストの操作をより簡易に行う。【解決手段】  入力装置１０は、表示情報を表示する表示部１１を備え、表示された表示情報において入力位置を指定して情報を入力する装置である。入力装置１０は、表示された表示情報において、情報をペーストする位置を示すペースト位置情報を入力するペースト位置情報入力部１２と、表示された表示情報から、情報をコピーするコピー部１３と、コピーされた情報を、当該コピーが行われる前に入力されたペースト位置情報によって示される位置にペーストするペースト部１４とを備える。【選択図】  図１
2014174905.tif 000002
【特許請求の範囲】
【請求項１】
表示情報を表示する表示装置を備え、当該表示装置によって表示された表示情報において入力位置を指定して情報を入力する入力装置であって、
前記表示装置によって表示された表示情報において、情報をペーストする位置を示すペースト位置情報を入力するペースト位置情報入力手段と、
前記表示装置によって表示された表示情報から、情報をコピーするコピー手段と、
前記コピー手段によってコピーされた情報を、当該コピーが行われる前に前記ペースト位置情報入力手段によって入力されたペースト位置情報によって示される位置にペーストするペースト手段と、
を備える入力装置。
【請求項２】
前記ペースト位置情報入力手段は、前記情報をペーストする位置が含まれる表示情報を示す情報を入力し、
前記ペースト手段は、前記ペースト位置情報入力手段によって入力された情報によって示される表示情報を前記表示装置に表示させると共にペーストする、請求項１に記載の入力装置。
【請求項３】
前記ペースト位置情報入力手段は、前記ペースト位置情報によって示される位置に入力されるべき情報の種別を示す種別情報を取得し、
前記コピー手段は、前記ペースト位置情報入力手段によって取得された種別情報に応じた表示情報を前記表示装置に表示させる、請求項１又は２に記載の入力装置。
【請求項４】
前記ペースト位置情報入力手段は、前記ペースト位置情報によって示される位置に入力されるべき情報の種別を示す種別情報を取得し、
前記コピー手段は、前記ペースト位置情報入力手段によって取得された種別情報に応じて情報のコピー可否の制御を行う、請求項１〜３の何れか一項に記載の入力装置。
【請求項５】
前記ペースト位置情報入力手段は、前記情報をペーストする位置が含まれる表示情報を示す情報を入力し、
前記ペースト手段は、前記ペースト位置情報入力手段によって取得された種別情報に応じて前記コピー手段によってコピーされた情報を変換してペーストする、請求項１〜４の何れか一項に記載の入力装置。
【請求項６】
表示情報を表示する表示装置を備え、当該表示装置によって表示された表示情報において入力位置を指定して情報を入力する入力装置による入力方法であって、
前記表示装置によって表示された表示情報において、情報をペーストする位置を示すペースト位置情報を入力するペースト位置情報入力ステップと、
前記表示装置によって表示された表示情報から、情報をコピーするコピーステップと、
前記コピーステップにおいてコピーされた情報を、当該コピーが行われる前に前記ペースト位置情報入力ステップにおいて入力されたペースト位置情報によって示される位置にペーストするペーストステップと、
を含む入力方法。
【発明の詳細な説明】
【技術分野】
【０００１】
本発明は、情報を入力する入力装置及び入力方法に関する。
【背景技術】
【０００２】
携帯電話機やパーソナルコンピュータ等の文字入力を行うデバイスには、文字入力を簡易的に行えるよう、文字（テキスト）をコピーしペースト（貼り付け）を行うことができる（例えば、特許文献１参照）。
【先行技術文献】
【特許文献】
【０００３】
【特許文献１】特開２０１２−１１９００１号公報
【発明の概要】
【発明が解決しようとする課題】
【０００４】
通常、文字のペーストを行う際には、文字の入力が必要な文字入力エリアを認識して、当該文字入力エリアに入力するための文字をコピーし、再度、文字を入力したい文字入力エリアに戻りペーストを行う。このようにペーストを行うためには、通常、再度ペーストしたい文字入力エリアに戻る操作が必要となる。特にコピーしたい文字が、ペーストしたい文字入力エリアが表示されるものとは別のＷｅｂページやアプリケーションの中にあると、Ｗｅｂページやアプリケーションの切り替えの操作が必要なりユーザにとって面倒である。
【０００５】
本発明は、上記の問題点に鑑みてなされたものであり、コピー及びペーストの操作をより簡易に行うことを可能とする入力装置及び入力方法を提供することを目的とする。
【課題を解決するための手段】
【０００６】
上記の目的を達成するために、本発明に係る入力装置は、表示情報を表示する表示装置を備え、当該表示装置によって表示された表示情報において入力位置を指定して情報を入力する入力装置であって、表示装置によって表示された表示情報において、情報をペーストする位置を示すペースト位置情報を入力するペースト位置情報入力手段と、表示装置によって表示された表示情報から、情報をコピーするコピー手段と、コピー手段によってコピーされた情報を、当該コピーが行われる前にペースト位置情報入力手段によって入力されたペースト位置情報によって示される位置にペーストするペースト手段と、を備える。
【０００７】
本発明に係る入力装置によれば、情報をコピーする前にペーストする位置を入力することでコピーが行われた後にペーストする操作を行うことなく情報のペーストが行われる。これにより、コピー及びペーストの操作をより簡易に行うことができる。
【０００８】
ペースト位置情報入力手段は、情報をペーストする位置が含まれる表示情報を示す情報を入力し、ペースト手段は、ペースト位置情報入力手段によって入力された情報によって示される表示情報を表示装置に表示させると共にペーストする、こととしてもよい。この構成によれば、コピーされた情報がペーストされた表示情報が表示されるため、利便性を高めることができる。
【０００９】
ペースト位置情報入力手段は、ペースト位置情報によって示される位置に入力されるべき情報の種別を示す種別情報を取得し、コピー手段は、ペースト位置情報入力手段によって取得された種別情報に応じた表示情報を表示装置に表示させる、こととしてもよい。この構成によれば、容易にコピーを行うことができる。
【００１０】
ペースト位置情報入力手段は、ペースト位置情報によって示される位置に入力されるべき情報の種別を示す種別情報を取得し、コピー手段は、ペースト位置情報入力手段によって取得された種別情報に応じて情報のコピー可否の制御を行う、こととしてもよい。この構成によれば、例えばペーストができない情報のコピーを禁止する等して、ペースト位置に応じた適切なコピーを行うことができる。
【００１１】
ペースト位置情報入力手段は、情報をペーストする位置が含まれる表示情報を示す情報を入力し、ペースト手段は、ペースト位置情報入力手段によって取得された種別情報に応じてコピー手段によってコピーされた情報を変換してペーストする、こととしてもよい。この構成によれば、適切な情報をペースト位置に入力することができる。
【００１２】
ところで、本発明は、上記のように入力装置の発明として記述できる他に、以下のように入力方法の発明としても記述することができる。これはカテゴリが異なるだけで、実質的に同一の発明であり、同様の作用及び効果を奏する。
【００１３】
即ち、本発明に係る入力方法は、表示情報を表示する表示装置を備え、当該表示装置によって表示された表示情報において入力位置を指定して情報を入力する入力装置による入力方法であって、表示装置によって表示された表示情報において、情報をペーストする位置を示すペースト位置情報を入力するペースト位置情報入力ステップと、表示装置によって表示された表示情報から、情報をコピーするコピーステップと、コピーステップにおいてコピーされた情報を、当該コピーが行われる前にペースト位置情報入力ステップにおいて入力されたペースト位置情報によって示される位置にペーストするペーストステップと、を含む。
【発明の効果】
【００１４】
本発明によれば、情報をコピーする前にペーストする位置を入力することでコピーが行われた後にペーストする操作を行うことなく情報のペーストが行われるため、コピー及びペーストの操作をより簡易に行うことができる。
【図面の簡単な説明】
【００１５】
【図１】本発明の実施形態に係る入力装置の機能構成を示す図である。
【図２】情報をペーストする位置が指定される際の画面イメージを示す図である。
【図３】情報をコピーする際（コピー元の表示情報）の画面イメージを示す図である。
【図４】コピー元の表示情報を表示させるアプリケーションを選択するための画面イメージを示す図である。
【図５】コピーができない旨をユーザに通知する表示を行う画面イメージを示す図である。
【図６】情報がペーストされた際の画面イメージを示す図である。
【図７】本発明の実施形態に係る入力装置のハードウェア構成を示す図である。
【図８】本発明の実施形態に係る入力装置で実行される処理（入力方法）を示すフローチャートである。
【発明を実施するための形態】
【００１６】
以下、図面と共に本発明に係る入力装置及び入力方法の実施形態について詳細に説明する。なお、図面の説明においては同一要素には同一符号を付し、重複する説明を省略する。
【００１７】
図１に本実施形態に係る入力装置１０を示す。入力装置１０は、情報の入力を行うことができる装置（デバイス）であり、具体的には、スマートフォンを含む携帯電話機や、パーソナルコンピュータ等の装置である。情報の入力は、例えば、入力装置１０のユーザ（利用者）の入力装置１０に対する操作を受け付けることで行われる。入力装置１０において入力される情報は、例えば文字（テキスト）である。また、入力対象の情報として文字以外のものがあってもよい。詳細には後述するように入力装置１０は、ディスプレイ等の表示装置を備えており、当該表示装置によって表示された表示情報において入力位置を指定して情報を入力する。
【００１８】
また、入力装置１０は、上記の表示情報を表示するためのアプリケーションを実施することができる。当該アプリケーションとしては、例えばＷｅｂブラウザである。例えば、入力装置１０は、Ｗｅｂブラウザに表示されるＷｅｂページに含まれる入力フォームに文字列の入力を行う。この場合、指定される入力位置は、文字列が入力される入力フォームの位置である。また、表示情報を表示し情報を入力するためのアプリケーションとしては、それ以外にも例えば、テキストを編集するためのアプリケーションや個々の情報を登録して利用する電話帳アプリケーション等がある。
【００１９】
入力装置１０は、いわゆるコピーアンドペーストによっても情報の入力を行うことができる。本発明に係る機能は、コピーアンドペーストに係るものである。また、入力装置１０によって表示される表示情報には、入力ができないもの（例えば、入力フォームを有しないＷｅｂページ）が含まれていてもよい。当該表示情報も、コピー元となる情報を含みえる。
【００２０】
引き続いて、入力装置１０の本発明に係る機能について説明する。図１に示すように入力装置１０は、表示部１１と、ペースト位置情報入力部１２と、コピー部１３と、ペースト部１４とを備えて構成される。なお、入力装置１０は、上記の機能以外にも、通常、携帯電話機やパーソナルコンピュータ等の装置が備える機能を備えていてもよい。
【００２１】
表示部１１は、表示情報を表示する表示手段である。表示部１１は、具体的には、例えば、後述するディスプレイ等の表示装置によって実現される。表示部１１は、入力装置１０で実行されるアプリケーションから表示情報を入力し、入力した表示情報を表示する。表示情報は、上述したようにＷｅｂページ等である。
【００２２】
ペースト位置情報入力部１２は、表示部１１によって表示された表示情報において、情報をペーストする位置（ペースト位置）を示すペースト位置情報を入力するペースト位置情報入力手段である。ペースト位置情報の入力は、例えば、従来のペーストを行う方法と同様に行いえるが、具体的には以下のように行われる。また、この際の表示情報（画面）のイメージを図２に示す。まず、ユーザの操作によって、入力装置１０においてＷｅｂページや情報の入力を行うためのアプリケーションが起動され、表示部１１によって表示情報２０が表示される。続いて、ユーザの操作によって、表示された表示情報（画面）２０内にある文字入力が可能なエリアである文字入力エリア２１が選択される。図２の例では、表示情報２０において、郵便番号を入力する入力フォームである文字入力エリア２１が選択される。あるいは、文字入力エリア２１は、例えば、検索サービスを提供するＷｅｂページのキーワードを入力する入力フォーム（検索窓）であってもよい。
【００２３】
続いて、ユーザの操作によって、選択された文字入力エリア２１が情報をペーストする位置として決定される。この操作は、例えば、パーソナルコンピュータではマウスの右クリック、あるいはスマートフォンではカーソル位置でのロングタップにより起動される操作のメニューから、情報をペーストする位置を特定する操作（「貼り付け」）が選択されることにより行われる。
【００２４】
ペースト位置情報入力部１２は、その操作を受け付けることでペースト位置情報を入力する。ペースト位置情報の入力は、情報のコピーに先立って行われえる。ペースト位置情報としては、具体的にはカーソル位置を示す表示情報（画面）における座標位置（画面左端からのＸ座標、画面上端からのＹ座標）が用いられる。あるいは、Ｗｅｂページに含まれる入力フォームを特定する情報をペースト位置情報としてもよい。
【００２５】
また、ペースト位置情報入力部１２は、ペースト位置情報に加えて、ペースト位置が含まれる表示情報を示す情報を入力してもよい。例えば、表示情報であるＷｅｂページを示すＵＲＬ（Uniform Resource Locator）や表示情報を表示しているアプリケーションのＡＰＩ（Application Programming Interface）やＡｐｐｌｉｃａｔｉｏｎ  Ｐｒｏｃｅｓｓの情報を入力してもよい。ペースト位置情報入力部１２は、入力したペースト位置情報、及び表示情報を示す情報をペースト部１４に出力する。なお、ペースト位置が含まれる表示情報を示す情報を入力する構成は、コピーとペーストとが異なる表示情報において行われる可能性がある場合に採用することとするのがよい。
【００２６】
また、ペースト位置情報入力部１２は、ペースト位置情報に加えて、ペースト位置に入力されるべき情報の種別を示す種別情報を取得することとしてもよい。入力されるべき情報の種別は、例えば、入力される文字の種別である。文字の種別は、例えば、日本語及び英語等の言語の種別、英数字、平仮名、片仮名及び漢字等の種別、並びに全角文字及び半角文字等の種別である。Ｗｅｂページの入力フォームには、入力される文字の種別等の入力方式が指定されている場合がある。例えば、図２に示す入力フォーム２１の例では、郵便番号を入力するための入力フォームであるので半角数字での入力が求められる。なお、入力されるべき情報の種別は、上記のような文字種別だけでなく、入力される文字列の文字数やパスワードを入力すべきもの等であってもよい。
【００２７】
ペースト位置情報入力部１２は、例えば、入力されるべき情報の種別を示す種別情報を表示情報から取得する。具体的には、表示情報に係るＨＴＭＬ（HyperText Markup Language）ソースコードの入力フォームを示すタグから取得することとしてもよい。例えば、input type=“number”とタグに記載されていた場合は“number”（数字入力指定）を、input type=“password”とタグに記載されていた場合は“password”（パスワード入力指定）を、それぞれ種別情報として取得する。ペースト位置情報入力部１２は、取得した種別情報をコピー部１３及びペースト部１４に出力する。なお、ペースト位置に種別情報の指摘がない場合には、種別情報を取得する必要はない。
【００２８】
コピー部１３は、表示部１１によって表示された表示情報から、情報をコピーするコピー手段である。コピー元となる表示情報（コピー元となる情報を含む表示情報）は、ペースト位置情報入力部１２によって入力されたペースト位置情報によって示される位置を含む表示情報と異なるものであってもよいし、同じものであってもよい。
【００２９】
コピーは、例えば、従来のコピーを行う方法と同様に行いえるが、具体的には以下のように行われる。また、この際の表示情報（画面）のイメージを図３に示す。まず、ユーザの操作によって、入力装置１０においてコピーしたい情報を含むＷｅｂページや情報の表示を行うためのアプリケーションが起動され、表示部１１によって表示情報３０が表示される。続いて、ユーザの操作によって、表示された表示情報（画面）３０内にあるコピーしたい文字（ペーストしたい文字）３１が選択される。図３の例では、郵便番号を管理しているアプリケーションが起動されて、表示情報３０内にコピーしたい文字３１である郵便番号が含まれている。
【００３０】
続いて、ユーザの操作によって、選択された文字３１がコピーされる。この操作は、例えば、パーソナルコンピュータではマウスの右クリック、あるいはスマートフォンではカーソル位置でのロングタップにより起動される操作のメニューから、情報をコピー操作（「コピー」）が選択されることにより行われる。コピー部１３は、その操作を受け付けることで情報のコピーを行う。なお、コピー部１３は、コピー元の情報を削除する、即ち、情報の切り取りを行うものであってもよい。コピー部１３は、コピーした情報をペースト部１４に出力する。
【００３１】
上述したようにコピー元となる表示情報は、ユーザが任意に選択しえるものである。コピー元となる表示情報を表示させる構成として、コピー部１３は以下のような機能を有していてもよい。コピー部１３は、ペースト位置情報入力部１２から入力された種別情報に応じた表示情報を表示部１１によって表示させることとしてもよい。そのため、コピー部１３は、予め種別情報と表示情報を表示するアプリケーションとを紐付けたリストを記憶しておく。このリストは、例えば、入力装置１０の製造者あるいはユーザ等によって予め入力装置１０に入力されており、入力装置１０のシステムのデータベースに記憶される。
【００３２】
例えば、数字入力指定の種別情報に対しては、電話帳アプリケーションやＷｅｂブラウザアプリケーション等が対応付けられている。あるいは、パスワード入力指定の種別情報に対しては、パスワード管理アプリケーション、メモアプリケーション、Ｗｅｂブラウザアプリケーション等が対応付けられている。コピー部１３は、ペースト位置情報入力部１２から入力された種別情報に応じたアプリケーションを起動する。これにより、当該アプリケーションに応じた表示情報が表示部１１によって表示される。また、上記の例のように１つの種別情報に対して複数のアプリケーションが対応付けられている場合には、図４の表示例に示すように当該複数のアプリケーションをユーザに提示して、ユーザに起動する（表示情報を表示する）アプリケーションを選択させるようにしてもよい。
【００３３】
また、コピー部１３は、ペースト位置情報入力部１２から入力された種別情報に応じて情報のコピー可否の制御を行うこととしてもよい。例えば、コピー部１３は、上記のようにコピーした情報が、ペースト位置情報入力部１２から入力された種別情報に合致するものであるか（ペースト可能なものであるか）照合して、種別情報に合致しない場合についてはコピーしない（コピーした情報を破棄する）こととしてもよい。例えば、種別情報が数字入力指定であった場合、コピーされた文字列が数字のみから構成されているか否かを照合し、数字のみから構成されている場合はコピー可能とし、それ以外の場合にはコピー不可とする（例えば、コピーした情報を破棄する）。コピー不可の場合、図５の表示例に示すように、コピーができない旨をユーザに通知する（エラーを返す）表示を行ってもよい。また、コピー部１３は、表示されている表示情報中の各情報が、ペースト位置情報入力部１２から入力された種別情報に合致するものであるか照合して、種別情報に合致しない情報についてはコピーを禁止する制御を行うこととしてもよい。その場合、コピーが禁止される情報を、例えばグレーアウトする等してユーザに容易に把握できるようにしておいてもよい。
【００３４】
ペースト部１４は、ペースト位置情報入力部１２及びコピー部１３から入力された情報に基づいてペーストを行うペースト手段である。具体的には、ペースト部１４は、コピー部１３によってコピーされた情報を、当該コピーが行われる前にペースト位置情報入力部１２から入力されたペースト位置情報によって示される位置にペーストする。より具体的には、ペースト部１４は、ペースト位置情報入力部１２からペースト位置情報が入力されると、当該ペースト位置情報を記憶（記録）しておく。例えば、ペースト部１４は、ペースト位置情報を入力装置１０のシステムのデータベースに記憶する。
【００３５】
ペースト部１４は、ペースト位置情報の記憶後に、コピー部１３から入力されたコピーされた情報を入力すると、当該コピーされた情報を記憶したペースト位置情報によって示されるペースト位置にペーストする（貼り付ける）。また、ペースト位置情報入力部１２によってペースト位置が含まれる表示情報を示す情報が取得されてペースト部１４に入力される場合には、ペースト部１４は、当該情報によって示される表示情報を表示部１１に表示させると共に情報のペーストを行う。具体的には、ペースト部１４は、当該表示情報を最前レイヤー（最前面）に表示させる。これにより、図６にペーストが行われる表示情報（画面）のイメージを示すように、ペーストされる表示情報２０が表示された上でペースト位置された文字入力エリア２１にコピーされた文字が入力される。
【００３６】
また、ペースト位置情報入力部１２によって種別情報が取得されてペースト部１４に入力される場合には、ペースト部１４は、種別情報に応じてコピー部１３によってコピーされた情報を変換してペーストすることとしてもよい。具体的には、ペースト部１４は、コピー部１３によってコピーされた情報が入力された種別情報に合致するものであるか否か判断する。ペースト部１４は、コピーされた情報が種別情報に合致しないと判断した場合、当該コピーされた情報を種別情報に合致するように変換する。例えば、コピーされた情報が「花」であり種別が日本語であり、ペースト位置情報入力部１２から入力された種別情報が英語であった場合には、当該種別情報に合致するように「花」を「ｆｌｏｗｅｒ」に変換してペーストする。あるいは、コピーされた情報が全角カナの「イトウ」という文字列であり、ペースト位置情報入力部１２から入力された種別情報が半角カナであった場合には、全角カナの「イトウ」という文字列を半角カナの「イトウ」という文字列に変換してペーストする。
【００３７】
ペースト部１４は、変換のための情報、例えば、変換前の情報（文字）と変換後の情報（文字）との対応付けを示す情報を予め記憶しておき、その情報に基づいて上記の変換を行う。これは、例えばコピー元の電話帳アプリケーション等では日本語記載だが、ペースト先のＷｅｂページの住所入力エリアは英語入力指定の際に活用でき、自動貼り付け機能の効果を向上させることができる。
【００３８】
なお、ペースト部１４は、ペースト位置情報入力部１２からペースト位置情報が入力された時点（ユーザによってペースト位置の指定が行われた時点）で、コピー部１３から入力された、コピーされた情報を記憶しているか否か判断し、記憶していた場合（ペースト位置の指定の前にコピーが行われていた場合）には、従来のコピーアンドペーストの処理と同様に当該コピーされた情報をペースト位置情報によって示されるペースト位置にペーストしてもよい。
【００３９】
また、ペースト部１４は、情報のペーストを行った後、コピーされた情報及びペースト位置情報を自動的にリセット（記憶していない状態にする）してもよいし（何れか一方をリセットしてもよい）、ユーザからの操作に応じてそれらをリセットしてもよい。以上が、入力装置１０の本発明に係る機能構成である。
【００４０】
図７に入力装置１０のハードウェア構成を示す。図７に示すように、入力装置１０は、ＣＰＵ（Central Processing Unit）１０１、主記憶装置であるＲＡＭ（RandomAccess Memory）１０２及びＲＯＭ１０３（Read Only Memory)、操作部１０４、無線通信部１０５、ディスプレイ１０６、アンテナ１０７等のハードウェアにより構成されている。これらの構成要素が動作することにより、上述した入力装置１０の各機能が発揮される。以上が、入力装置１０の構成である。
【００４１】
引き続いて、図８のフローチャートを用いて、本実施形態に係る入力装置１０で実行される処理である入力方法を説明する。入力装置１０では、本処理の開始時点で、ユーザの操作等に基づき、表示部１１によってペーストが行われる表示情報が表示されているものとする。本処理では、まず、ペースト位置情報入力部１２によって、表示部１１によって表示された表示情報においてペースト位置を示すペースト位置情報が入力される（Ｓ０１、ペースト位置情報入力ステップ）。このペースト位置情報の入力は、例えば上述したようにユーザの操作によって、表示された表示情報（画面）２０内にある文字入力が可能なエリアである文字入力エリア２１が選択されて、選択された文字入力エリア２１が情報をペーストする位置として決定されることで行われる。また、この際、ペースト位置情報入力部１２によって、ペースト位置が含まれる表示情報を示す情報、及びペースト位置に係る種別情報が取得される。上記の各情報は、情報に応じてペースト位置情報入力部１２からコピー部１３及びペースト部１４に出力される。
【００４２】
ペースト位置情報が入力されたペースト部１４では、既にコピーされた情報（例えば、文字列）が記憶されているか否かが判断される（Ｓ０２）。コピーされた情報が記憶されていた場合（Ｓ０２のＹＥＳ）には、ペースト部１４によって当該コピーされた情報がペースト位置情報によって示されるペースト位置にペーストされ、処理が終了する（Ｓ０３）。コピーされた情報が記憶されていなかった場合（Ｓ０２のＮＯ）には、ペースト部１４によって、ペースト位置情報が次にコピーされた内容をペーストするペースト位置を示す情報として記憶される（Ｓ０４）。
【００４３】
続いて、種別情報が入力されたコピー部１３によって、当該種別情報に対応付けられたアプリケーションのリストが表示される（Ｓ０５、コピーステップ）。このリストは、コピー元となる表示情報を表示するためのアプリケーションを選択するためのリストである。続いて、ユーザの操作によって当該リストからアプリケーションが選択されると、コピー部１３によって当該操作が受け付けられる（Ｓ０６、コピーステップ）。続いて、選択されたアプリケーションによる表示情報が表示部１１によって表示される。なお、Ｓ０５及びＳ０６の処理は、必ずしも行われる必要はなく、リストからの選択の操作ではないユーザによる操作により、コピー元の表示情報が表示されてもよい。
【００４４】
続いて、コピー部１３によって、コピー元の表示情報から情報（例えば、文字列）がコピーされる（Ｓ０７、コピーステップ）。この情報のコピーは、例えば上述したようにユーザの操作によって、表示された表示情報（画面）３０内にある文字列３１が選択されて、選択された文字列３１がコピーされる情報として決定されることで行われる。
【００４５】
続いて、コピー部１３によって、ペースト位置情報入力部１２から入力された種別情報に基づいてコピーした情報がペースト可能なものであるかが判断される（Ｓ０８、コピーステップ）。コピーした情報がペースト可能なものでないと判断された場合（Ｓ０８のＮＯ）には、コピー部１３によってコピーを禁止する制御が行われ、処理が終了する（Ｓ０９、コピーステップ）。この制御は、例えば、コピーした情報を破棄し、コピーができない旨をユーザに通知するというものである。なお、コピー禁止の制御が行われた後、再度、Ｓ０７文字列のコピーの処理に戻ってもよい。
【００４６】
Ｓ０８において、コピーした情報がペースト可能なものであると判断された場合（Ｓ０８のＹＥＳ）には、当該コピーした情報がコピー部１３からペースト部１４に入力される。なお、コピーした情報がペースト可能か否かの判断及び当該判断に応じた制御は、必ずしも行われる必要はない。
【００４７】
続いて、ペースト位置情報入力部１２から入力された情報によって示される、ペースト位置情報に係るペースト位置が含まれる表示情報が、ペースト部１４からの指示によりによって表示部１１に表示される（Ｓ１０、ペーストステップ）。なお、当該表示の制御は、必ずしも行われる必要はない。続いて、ペースト部１４によって、Ｓ０７においてコピー部１３によってコピーされた情報が、Ｓ０４において記憶されたペースト位置情報によって示されるペースト位置にペーストされ、処理が終了する（Ｓ１１、ペーストステップ）。以上が、本実施形態に係る入力装置１０で実行される処理である。
【００４８】
上述したように本実施形態では、情報をコピーする前にペースト位置を入力することでコピーが行われた後にユーザがペーストする操作を行うことなく自動的に情報のペーストが行われる。例えば、従来では、ユーザが、情報を入力したい位置を認識して、その位置に別のＷｅｂページやアプリケーションによる表示の中の情報をコピーして貼り付けたいと考える場合、ユーザはその別のＷｅｂページやアプリケーションを開いてコピーし、ペーストを行うことが必要となる。しかし、本実施形態では、コピーした情報をペーストしたい位置を認識した際に予めペースト位置を指定しておき、その後、ペースト位置に入力したい情報をコピーすればペーストが行われるので、再度、ペーストしたい位置に戻ってペーストの操作をする必要がない。即ち、本実施形態によれば、コピー及びペーストの操作をより簡易に行うことができる。
【００４９】
また、本実施形態のようにペーストを行う際にペースト位置が含まれる表示情報を表示することとしてもよい。通常、ペースト位置が含まれる表示情報と、コピーする情報が含まれる表示情報とが異なることも多い。例えば、図２及び図３の例で示したように、ペースト位置が含まれる表示情報はＷｅｂページであり、また、コピーする情報が含まれる表示情報はＷｅｂブラウザ以外のアプリケーションによって表示されるものである場合である。ペースト位置が含まれる表示情報と、コピーする情報が含まれる表示情報とが両方ともＷｅｂページとなる場合でも、それぞれが異なるＷｅｂであることも多い。そのような場合に、上記の処理が行われることで、コピーされた情報がペーストされた表示情報が表示されるため、利便性を高めることができる。
【００５０】
また、本実施形態のように、ペースト位置に入力されるべき情報の種別を示す種別情報に応じて、コピー元の情報が含まれる表示情報を表示させる（アプリケーションをユーザに選択させる）こととしてもよい。この構成によれば、コピー元の情報をすぐに表示させることができ、その結果、容易にコピーを行うことができる。
【００５１】
また、本実施形態のように、種別情報に応じてコピーの可否の制御を行うこととしてもよい。この構成によれば、例えば、本実施形態のようにペーストができない情報のコピーを禁止する等して、ペースト位置に応じた適切なコピーを行うことができる。
【００５２】
また、本実施形態のように、コピーした情報を変換してペーストすることとしてもよい。この構成によれば、適切な情報をペースト位置に入力することができる。
【００５３】
上記の実施形態では、コピーアンドペーストされる情報（オブジェクト）は文字として説明したが、必ずしも文字には限られない。例えば、画像等をコピーアンドペーストされる情報としてもよい。
【符号の説明】
【００５４】
１０…入力装置、１１…表示部、１２…ペースト位置情報入力部、１３…コピー部、１４…ペースト部、１０１…ＣＰＵ、１０２…ＲＡＭ、１０３…ＲＯＭ、１０４…操作部、１０５…無線通信部、１０６…ディスプレイ、１０７…アンテナ。
【図１】
2014174905.tif 000003
【図２】
2014174905.tif 000004
【図３】
2014174905.tif 000005
【図４】
2014174905.tif 000006
【図５】
2014174905.tif 000007
【図６】
2014174905.tif 000008
【図７】
2014174905.tif 000009
【図８】
2014174905.tif 000010